(57)【要約】 【課題】  病院や老人ホームにおいて、介護者の介護履歴作成の負担を軽減できる履歴生成システムおよび履歴生成プログラムを提供する  【解決手段】  履歴生成システム１００によると、履歴生成装置１０４は、被介護者の居室入り口付近に設置された情報取得装置１０１、被介護者のベッド１０６に設置された離床及び体調判定装置から取得した情報に従って介護者の介護履歴を生成する。  この際、履歴生成装置１０４は、離床及び体調判定装置から取得した被介護者の離床情報、被介護者の体調情報、またはコール装置から取得したコール情報に応じてそれぞれ異なった介護履歴雛形を選択し、介護履歴を生成する。【選択図】  図１
2006085412.tif 000002
【特許請求の範囲】
【請求項１】
介護者の被介護者への接近情報を取得する情報取得装置と、
被介護者が所定の寝床に居るか否かを判定する離床判定装置と、
前記情報取得装置から送信される接近情報および前記離床判定装置から送信される被介護者の離床情報に基づいて、前記介護者の介護履歴を生成する履歴生成装置と、
を備えることを特徴とする履歴生成システム。
【請求項２】
被介護者の体調を判定する体調判定装置をさらに備え、
前記履歴生成装置は、該体調判定装置から送信される被介護者の体調情報に基づいて、前記介護者の介護履歴を生成することを特徴とする請求項１記載の履歴生成システム。
【請求項３】
前記履歴生成装置は、受信する情報が前記離床判定装置からの被介護者の離床情報であるか、あるいは前記体調判定装置からの被介護者の体調情報であるかによって、形式が異なる介護履歴を生成することを特徴とする請求項２記載の履歴生成システム。
【請求項４】
前記介護履歴には、予想される介護作業の選択肢が少なくとも１つ表示され、該選択肢には、前記離床判定装置からの被介護者の離床情報であるか、あるいは前記体調判定装置からの被介護者の体調情報であるかによって異なる介護作業が含まれていることを特徴とする請求項３に記載の履歴生成システム。
【請求項５】
被介護者が介護者を呼び出すためのコール装置をさらに備え、
前記履歴生成装置は、該コール装置から送信されるコール情報に基づいて、前記介護者の介護履歴を生成することを特徴とする請求項１乃至４のいずれかに記載の履歴生成システム。
【請求項６】
前記履歴生成装置は、受信する情報が前記離床判定装置からの被介護者の離床情報であるか、前記体調判定装置からの被介護者の体調情報であるか、あるいは前記コール装置からのコール情報であるかによって異なる介護履歴を生成することを特徴とする請求項５記載の履歴生成システム。
【請求項７】
前記介護履歴には、予想される介護作業の選択肢を少なくとも１つ表示され、該選択肢には、前記離床判定装置からの被介護者の離床情報であるか、前記体調判定装置からの被介護者の体調情報であるか、あるいは前記コール装置からのコール情報であるかによって異なる介護作業が含まれていることを特徴とする請求項６に記載の履歴生成システム。
【請求項８】
前記履歴生成装置は、前記情報取得装置から介護者の第１の被介護者への接近情報が送信され、さらに当該介護者の第１に続く第２の被介護者への接近情報が送信されたときに、前記介護者の介護履歴を生成することを特徴とする請求項１乃至８のいずれかに記載の履歴生成システム。
【請求項９】
履歴生成装置に、
介護者の被介護者への接近情報を取得する情報取得装置からの接近情報と、
被介護者が所定の寝床に居るか否かを判定する離床判定装置からの離床情報と、
に基づいて、介護者の介護履歴を生成させることを特徴とする履歴生成プログラム。
【請求項１０】
履歴生成装置に、
さらに被介護者の体調を判定する体調判定装置からの体調情報と、
に基づいて、介護者の介護履歴を生成させることを特徴とする請求項９記載の履歴生成プログラム。
【請求項１１】
前記履歴生成装置に、
前記離床判定装置からの被介護者の離床情報であるか、あるいは前記体調判定装置からの被介護者の体調情報であるかによって異なる介護履歴を生成させることを特徴とする請求項１０記載の履歴生成プログラム。
【請求項１２】
前記介護履歴には、予想される介護作業の選択肢が少なくとも１つ表示され、該選択肢には、前記離床判定装置からの被介護者の離床情報であるか、あるいは前記体調判定装置からの被介護者の体調情報であるかによって異なる介護作業が含まれていることを特徴とする請求項１１に記載の履歴生成プログラム。
【請求項１３】
履歴生成装置に、
さらに被介護者が介護者を呼び出すためのコール装置からのコール情報とに基づいて、介護者の介護履歴を生成させることを特徴とする請求項１０記載の履歴生成プログラム。
【請求項１４】
前記履歴生成装置に、
前記離床判定装置からの被介護者の離床情報であるか、前記体調判定装置からの被介護者の体調情報であるか、あるいは前記コール装置からのコール情報であるかによって異なる介護履歴を生成させることを特徴とする請求項１３記載の履歴生成プログラム。
【請求項１５】
前記介護履歴には、予想される介護作業の選択肢を少なくとも１つ表示され、該選択肢には、前記離床判定装置からの被介護者の離床情報であるか、前記体調判定装置からの被介護者の体調情報であるか、あるいは前記コール装置からのコール情報であるかによって異なる介護作業が含まれていることを特徴とする請求項１４に記載の履歴生成プログラム。
【請求項１６】
前記履歴生成装置に、
前記情報取得装置から介護者の第１の被介護者への接近情報が送信され、さらに当該介護者の第１に続く第２の被介護者への接近情報が送信されたときに、前記介護者の介護履歴を生成させることを特徴とする請求項８乃至１６のいずれかに記載の履歴生成プログラム。
【発明の詳細な説明】
【技術分野】
【０００１】
本発明は、病院や老人ホーム等の介護施設や住居等における介護履歴を生成するシステムおよびプログラムに関する。
【背景技術】
【０００２】
従来、病院や老人ホーム等の施設において、介護者は、担当している被介護者に対して介護を行う毎に、その介護履歴を介護日誌等に記録する必要があった。
【０００３】
しかしながら、このような従来の介護履歴の作成作業は煩雑なものであり、介護者の担当する被介護者の人数あるいは介護の回数が増大するにつれて、介護履歴作成に要する時間がなくなる、さらには、介護履歴作成が頻繁に発生するため、介護者自身の過誤により誤った介護履歴をつけてしまう、あるいは介護履歴自体を付け忘れてしまう等の問題があった。
【０００４】
このような介護履歴作成の負担を低減するものとして、以下の特許文献１には、訪問介護における定型作業の履歴を自動生成するシステムが開示されている。
【０００５】
また、以下の特許文献２には、介護者が被介護者宅に設置された端末装置に在宅介護の開始時点および終了時点を入力し記録保持する在宅介護支援システムが開示されている。
【０００６】
しかしながら、これらのシステムでも、上述したような介護履歴作成が頻繁に発生するため、介護履歴作成に要する時間がない、誤った介護履歴をつけてしまう、あるいは介護履歴自体を付け忘れてしまう等の課題は依然としてあった。
【特許文献１】特開２０００−９９５８６号
【特許文献２】特開２００２−１８３３０９号
【発明の開示】
【発明が解決しようとする課題】
【０００７】
そこで、本発明の目的は、介護者の介護履歴作成の負担を軽減できる履歴生成システムおよび履歴生成プログラムを提供することである。
【課題を解決するための手段】
【０００８】
本発明にかかる履歴生成システムは、介護者の被介護者への接近情報を取得する情報取得装置と、被介護者が所定の寝床に居るか否かを判定する離床判定装置と、前記情報取得装置から送信される接近情報および前記離床判定装置から送信される被介護者の離床情報に基づいて、前記介護者の介護履歴を生成する履歴生成装置とを備えることを特徴とする。斯かるシステムにおいては、被介護者や介護者はそれぞれ１人でもよく複数であってもよい。
【０００９】
斯かるシステムでは、介護者が介護作業を実施するたびに、離床情報に基づいて自動的に、少なくとも必要最低限の内容を含む介護履歴が作成されるので、介護者が誤った介護履歴を作成してしまうことや、介護履歴をつけ忘れることの発生を軽減することができる。さらにはこれらの介護履歴作成ミスあるいは介護履歴付け忘れに起因する諸処の問題発生をも軽減することができる。
【００１０】
また、介護者の介護履歴をつけるという煩雑な作業が軽減できるため、介護者は時間的余裕もでき、また介護履歴をつけなければいけないといった精神的なストレスからも開放されるため、時間的にも精神的にも介護によりいっそう注力することができる。
【００１１】
さらに本発明にかかる履歴生成システムでは、被介護者の体調を判定する体調判定装置をさらに備え、前記履歴生成装置は、該体調判定装置から送信される被介護者の体調情報に基づいて、前記介護者の介護履歴を生成することとしてもよい。
【００１２】
斯かるシステムでは、さらに、被介護者の体調情報にも基づいて自動的に介護履歴が作成されるので、介護者が誤った介護履歴を作成してしまうことをさらに軽減することができる。
【００１３】
本発明にかかる履歴生成システムでは、前記履歴生成装置は、受信する情報が前記離床判定装置からの被介護者の離床情報であるか、あるいは前記体調判定装置からの被介護者の体調情報であるかによって、形式が異なる介護履歴を生成することを特徴とする。
【００１４】
これにより、被介護者に対する介護作業の内容がより適切に記載された介護履歴を生成することができる。
【００１５】
従って、介護者が介護履歴の内容を誤解し、これに起因してその後に誤った介護作業を行なってしまうことの発生を軽減することができる。
【００１６】
さらに本発明にかかる履歴生成システムでは、前記介護履歴には、予想される介護作業の選択肢が少なくとも１つ表示され、該選択肢には、前記離床判定装置からの被介護者の離床情報であるか、あるいは前記体調判定装置からの被介護者の体調情報であるかによって異なる介護作業が含まれていることを特徴とする。
【００１７】
これにより、被介護者に対する介護作業の内容がより適切にかつ統一した表現で記載された介護履歴を生成することができる。
【００１８】
従って、各介護者の異なった表現による介護履歴に起因する介護作業内容の誤解を軽減することができる。
【００１９】
さらに本発明にかかる履歴生成システムでは、被介護者が介護者を呼び出すためのコール装置をさらに備え、前記履歴生成装置は、該コール装置から送信されるコール情報に基づいて、前記介護者の介護履歴を生成することを特徴とする。
【００２０】
これにより、介護者が被介護者からコール装置で呼び出された場合に行なった介護作業についても介護履歴を生成する必要がないため、より一層介護履歴作成ミスの発生の軽減に貢献することができる。
【００２１】
さらに本発明にかかる履歴生成システムでは、前記履歴生成装置は、受信する情報が前記離床判定装置からの被介護者の離床情報であるか、前記体調判定装置からの被介護者の体調情報であるか、あるいは前記コール装置からのコール情報であるかによって異なる介護履歴を生成することを特徴とする。
【００２２】
さらに本発明にかかる履歴生成システムでは、前記介護履歴には、予想される介護作業の選択肢を少なくとも１つ表示され、該選択肢には、前記離床判定装置からの被介護者の離床情報であるか、前記体調判定装置からの被介護者の体調情報であるか、あるいは前記コール装置からのコール情報であるかによって異なる介護作業が含まれていることを特徴とする。
【００２３】
さらに本発明にかかる履歴生成システムでは、前記履歴生成装置は、前記情報取得装置から介護者の第１の被介護者への接近情報が送信され、さらに当該介護者の第１に続く第２の被介護者への接近情報が送信されたときに、前記介護者の介護履歴を生成することを特徴とする。
【００２４】
これにより、介護作業の終了時点が明確になり、従って、終了時点までに行なわれた介護作業についても明確化されるため介護作業終了時点までの正確な介護履歴を生成することができる。
【００２５】
本発明にかかる履歴生成プログラムは、履歴生成装置に、介護者の被介護者への接近情報を取得する情報取得装置からの接近情報と、被介護者が自分の寝床に居るか否かを判定する離床判定装置からの離床情報と、に基づいて、介護者の介護履歴を生成させることを特徴とする。
【００２６】
さらに本発明にかかる履歴生成プログラムでは、履歴生成装置に、さらに被介護者の体調を判定する体調判定装置からの体調情報と、に基づいて、介護者の介護履歴を生成させることを特徴とする。
【００２７】
さらに本発明にかかる履歴生成プログラムでは、前記履歴生成装置に、前記離床判定装置からの被介護者の離床情報であるか、あるいは前記体調判定装置からの被介護者の体調情報であるかによって異なる介護履歴を生成させることを特徴とする。
【００２８】
さらに本発明にかかる履歴生成プログラムでは、前記介護履歴には、予想される介護作業の選択肢が少なくとも１つ表示され、該選択肢には、前記離床判定装置からの被介護者の離床情報であるか、あるいは前記体調判定装置からの被介護者の体調情報であるかによって異なる介護作業が含まれていることを特徴とする。
【００２９】
さらに本発明にかかる履歴生成プログラムは、履歴生成装置に、さらに被介護者が介護者を呼び出すためのコール装置からのコール情報とに基づいて、介護者の介護履歴を生成させることを特徴とする。
【００３０】
さらに本発明にかかる履歴生成プログラムでは、前記履歴生成装置に、前記離床判定装置からの被介護者の離床情報であるか、前記体調判定装置からの被介護者の体調情報であるか、あるいは前記コール装置からのコール情報であるかによって異なる介護履歴を生成させることを特徴とする。
【００３１】
さらに本発明にかかる履歴生成プログラムでは、前記介護履歴には、予想される介護作業の選択肢を少なくとも１つ表示され、該選択肢には、前記離床判定装置からの被介護者の離床情報であるか、前記体調判定装置からの被介護者の体調情報であるか、あるいは前記コール装置からのコール情報であるかによって異なる介護作業が含まれていることを特徴とする。
【００３２】
さらに本発明にかかる履歴生成プログラムでは、前記履歴生成装置に、前記情報取得装置から介護者の第１の被介護者への接近情報が送信され、さらに当該介護者の第１に続く第２の被介護者への接近情報が送信されたときに、前記介護者の介護履歴を生成させることを特徴とする。
【００３３】
ここで、特許請求の範囲に記載の介護者は、老人ホーム等の介護施設等における介護要員や在宅の介護を行う家人の他、病院等の医療施設におけるいわゆる医師や看護師であってもよく、被介護者は、老人ホーム等の介護施設における介護を受ける老人等や在宅で介護を受ける者の他、病院等の医療施設におけるいわゆる患者であってもよい。
【００３４】
本発明の特徴は、以下に示す実施の形態の説明により更に明らかとなろう。
【００３５】
ただし、以下の実施の形態は、あくまでも、本発明の一つの実施形態であって、本発明ないし各構成要件の用語の意義は、以下の実施の形態に記載されたものに制限されるものではない。
【発明の効果】
【００３６】
本発明によれば、介護者の介護履歴作成の負担を軽減できる履歴生成システムおよび履歴生成プログラムを提供することができる。
【発明を実施するための最良の形態】
【００３７】
以下、本発明の実施の形態につき図面を参照して説明する。図１は、本実施の形態に係る介護施設における履歴生成システムの構成を示す構成図である。
【００３８】
尚、本実施の形態では、複数の被介護者用居室を有する介護施設において、被介護者一人につき被介護者用居室が一室割り当てられている。
【００３９】
図１において、履歴生成システム１００は、各被介護者用居室Ａ、Ｂ、Ｃ、・・・に設けられた情報取得装置１０１、１０１、・・・、離床及び体調判定装置１０２、１０２、・・・及びコール装置１０３、１０３、・・・、並びに該各被介護者用居室Ａ、Ｂ、Ｃ、・・・に共通の履歴生成装置１０４で構成されている。
【００４０】
上記各居室に設けられた情報取得装置１０１は、介護者の該各居室への入室及び該各居室からの退室の情報を取得する。各離床及び体調判定装置１０２は、被介護者が自身のベッド上に居るか居ないかの判定および被介護者の体調状態の良否を判定する。各コール装置１０３は、被介護者が介護者を呼ぶための装置である。
【００４１】
履歴生成装置１０４は、各情報取得装置１０１、１０１、・・・による介護者の上記各居室への入室及び上記各居室からの退室の情報、各離床及び体調判定装置１０２、１０２、・・・による被介護者の離床情報および被介護者の体調状態の良否を示す体調情報または各コール装置１０３、１０３、・・・によるコール情報に基づいて介護者の介護履歴を生成する。
【００４２】
図２に示すように、各情報取得装置１０１は、本実施の形態において、介護者を認識するための認識番号が予め記憶されているＲＦ（Radio Frequency：ラジオ  フリクエンシー）タグ１０１ａと被介護者の居室番号が予め記憶されると共に時計機能が備えられているＲＦタグリーダ１０１ｂより構成されている。各ＲＦタグ１０１ａは各介護者の靴底に装着され、ＲＦタグリーダ１０１ｂは被介護者の各居室の出入り口付近に設置されているカーペットに内蔵される。
【００４３】
斯かる情報取得装置１０１は、ＲＦタグ１０１ａを装着した介護者が、被介護者の居室に入室または退室すると、かかるＲＦタグ１０１ａが居室出入り口のカーペットに設置されたＲＦタグリーダ１０１ｂに近接することとなり、ＲＦタグリーダ１０１ｂがＲＦタグ１０１ａに記憶された介護者の認識番号を読み取ると共に、被介護者の居室番号、読み取った該介護者の認識番号および該介護者の認識番号を読み取った時刻を履歴生成装置１０４へ送信する。
【００４４】
図３および図４は、離床及び体調判定装置１０２の構成を示す図である。
【００４５】
図３および図４において、離床及び体調判定装置１０２は、例えば、被介護者の呼吸、心拍、体動等の生体信号を検出できる生体信号センサー１０２ａ、生体信号センサー１０２ａによって検出された生体信号から、被介護者の離床あるいは体調の良否の判定を行い易くするための生体情報を生成する生体情報処理部１０２ｂ及び生体情報処理部１０２ｂからの生体情報に基づいて被介護者の体調の良否を判定する状態判定部１０２ｃから構成されている。
【００４６】
生体信号センサー１０２ａは、例えば、シート状の静電容量型のセンサーから構成され、該シート状の静電容量型のセンサーは、図３および図４に示すよう被介護者のベッド１０６に敷かれるマット１０５に取り付けられる。具体的には、前記シート状の静電容量型のセンサーは、被介護者がベッド１０６に入床した場合に、被介護者の上半身が前記シート状の静電容量型のセンサー上になるようにマット１０５に取り付けられている。
【００４７】
前記シート状静電容量センサーでは、人体の呼吸運動や体動により圧迫されて電極間の距離の変動やセンサーの屈曲等による形状変化に伴って該シート状静電容量センサーの静電容量が変動する。生体情報処理部１０２ｂは、ＬＣ発振回路を備えており、かかるＬＣ発振回路により前記静電容量型センサーの静電容量の変動データに基づく発振周波数を測定する。状態判定部１０２ｃは、生体情報処理部１０２ｂから出力される人体の呼吸運動や体動に基づく上記発振周波数の変動により被介護者が自身のベッド１０６に居るか否かを判定する。状態判定部１０２ｃは、被介護者が自身のベッドに居ないと判定した場合に、かかる判定結果および居室番号を履歴生成装置１０４へ送信する。
【００４８】
また、状態判定部１０２ｃは、生体情報処理部１０２ｂから出力される発振周波数の結果に基づいて、さらに被介護者の体調が悪いかどうかを判定する。状態判定部１０２ｃは、被介護者の体調が悪いと判定した場合に、かかる判定結果を体調情報として居室番号と共に履歴生成装置１０４へ送信する。
【００４９】
被介護者の体調の判定は、例えば、過去に被介護者の体調が良好であった場合の生体情報処理部１０２ｂからの出力波形を、状態判定部１０２ｃが備える記憶手段（図示せず。）にあらかじめ記憶しておき、かかる過去の出力波形と現在の生体情報処理部１０２ｂからの出力波形との差分を求め、かかる差分があらかじめ設定した閾値を越えている場合には、被介護者の体調が良くないあるいは悪化したと判定し、かかる判定結果および居室番号を履歴生成装置１０４へ送信する。
【００５０】
他方、前記閾値を越えていない場合は、状態判定部１０２ｃは被介護者の体調は良好と判定し、この場合にはかかる判定結果を履歴生成装置１０４へは送信しない。
【００５１】
図５は、前記シート状静電容量型センサーの静電容量の変動データに基づいて生体情報処理部１０２ｂが出力する発振周波数を示す図である。図５中、横軸が時刻、縦軸が発振周波数を示している。状態判定部１０２ｃは、被介護者がベッド１０６上に居るか居ないかを判定するための閾値である発振周波数値をあらかじめ設定しておき、発振周波数がかかる閾値を越えた場合には、被介護者が離床したと判定し、かかる判定結果を履歴生成装置１０４へ送信する。尚、本実施の形態では、前記閾値として１８０ｋＨｚを採用している。図５中、時刻Ｘ、時刻Ｙおよび時刻Ｚは、被介護者が自身のベッド１０６から離床した時刻であり、これらの時刻における発振周波数は全て２００ｋＨｚを越えている。よって前記閾値を１８０ｋＨｚとすることにより、被介護者が自身のベッド１０６から離床したかどうかを正確に判定できることが分かる。
【００５２】
コール装置１０３は、例えば、プッシュボタン式のスイッチからなり、被介護者がスイッチを押した場合には、押されたことを示す信号および居室番号を履歴生成装置１０４に送信する。
【００５３】
履歴生成装置１０４は、情報取得装置１０１、離床及び体調判定装置１０２およびコール装置１０３から送信された情報に基づいて介護者の介護履歴テーブルを生成し、これに基づいて介護履歴を生成する。
【００５４】
具体的には、履歴生成装置１０４は図６に示すように、各被介護者の居室毎に介護者の介護履歴を示す介護履歴テーブルを生成する。図６には、一例として、居室番号Ａ号の居室にて介護されている被介護者についての介護履歴テーブルが示されている。
【００５５】
図６の介護履歴テーブルにおいて、イベントＮｏの欄には、情報取得装置１０１、離床及び体調判定装置１０２またはコール装置１０３から履歴生成装置１０４に情報が送信されたという事象が発生した場合に、事象の発生順序を示す番号が記入される。
【００５６】
コールフラグの欄には、コール装置１０３から被介護者がコール装置を押したことを示すコール情報があった場合には１が、コール情報がなかった場合には０が記入される。
【００５７】
離床フラグの欄には、離床及び体調判定装置１０２から被介護者が離床したことを示す離床情報があった場合には１が、離床情報がなかった場合には０が記入される。
【００５８】
体調フラグの欄には、離床及び体調判定装置１０２から被介護者の体調が悪いことを示す体調情報があった場合に１が、体調情報がなかった場合には０が記入される。
【００５９】
通報時刻の欄には、コール装置１０３が押された時刻、離床及び体調判定装置１０２からの離床情報を取得した時刻あるいは離床及び体調判定装置１０２からの体調情報を取得した時刻のいずれかが記入される。尚、履歴生成装置１０４が、コール装置１０３からのコール情報、離床及び体調判定装置１０２からの離床情報あるいは離床及び体調判定装置１０２からの体調情報のいずれか一つを受信した場合には、コールフラグ、離床フラグ、体調フラグの欄のうち該当欄に１が記入され、それ以外の残りの２つのフラグの欄には０が記入される。
【００６０】
また、履歴生成装置１０４が、情報取得装置１０１、離床及び体調判定装置１０２またはコール装置１０３からの情報を同時に取得した場合には、優先順位の高い情報を受信することとしている。該優先順位は、優先順位の高い方から順に、コール装置１０３からの情報、離床及び体調判定装置１０２からの離床情報、離床及び体調判定装置１０２からの体調情報としている。
【００６１】
入室時刻の欄には、介護者が被介護者の入室した時刻が記入される。具体的には、履歴生成装置１０４は、情報取得装置１０１から介護者の認識番号、該認識番号を読み取った時刻および居室番号を受信すると、介護履歴テーブル中の現在対象となっているイベントＮｏの事象における入室時刻の欄および退室時刻の欄が共に記入されていない場合に、入室時刻の欄に介護者の認識番号を読み取った時刻を記入する。
【００６２】
退出時刻の欄には、介護者が被介護者の居室を退室した時刻が記入される。具体的には、履歴生成装置１０４は、情報取得装置１０１から介護者の認識番号、該認識番号を読み取った時刻および居室番号を受け取ると、介護履歴テーブル中の現在対象となっているイベントＮｏの事象における入室時刻の欄が記入されかつ退室時刻の欄が記入されておらず、取得した介護者の認識番号が先の入室時刻を記入した際に取得した認識番号と同一のものである場合に、ＲＦタグリーダ１０１ｂが当該介護者の認識番号を読み取った時刻を記入する。
【００６３】
担当者ＩＤの欄には、履歴生成装置１０４が入室時刻の欄に介護者が入室した時刻を記入した際に、取得した介護者の認識番号に対応する介護者のＩＤ（図６では、介護者のＩＤはyamadaである。）が記入される。即ち、履歴生成装置１０４は、介護者の認識番号に対応するＩＤが記載されたテーブル（図示せず。）を備えており、情報取得装置１０１から介護者の認識番号を受け取ると、かかるテーブルより当該認識番号に対応する介護者のＩＤを検出し、かかるＩＤを担当者ＩＤの欄に記入する。
【００６４】
作業内容雛形の欄には、履歴生成装置１０４が生成する介護者の介護履歴の分類番号が記入され、かかる分類番号は、コールフラグ、離床フラグおよび体調フラグに基づいて決定される。具体的には、コールフラグが１であれば、作業内容雛形は１と決定され、離床フラグが１であれば、作業内容雛形は２と決定され、体調フラグが１であれば、作業内容雛形は３と決定される。
【００６５】
履歴生成装置１０４は、介護履歴テーブルのイベントＮｏ．、コールフラグ、離床フラグ、体調フラグ、通報時刻、入室時刻、退室時刻、担当者ＩＤおよび作業内容雛形の欄記入するとこれらに基づいて介護履歴を作成する。
【００６６】
具体的には、作業内容雛形を示す番号「１」「２」「３」に基づいて３種類の雛形のうちのいずれかで生成する。
図７は、履歴生成装置１０４によって生成される介護履歴を示す図である。
【００６７】
図７を参照して、履歴生成装置１０４は、被介護者の介護履歴テーブルの作業内容雛形が「１」である場合には、図７（ａ）に示す介護履歴１を生成する。
【００６８】
介護履歴１では、履歴生成装置１０４が介護履歴テーブルの記入内容に基づいて通報時刻、入室時刻、退出時刻を記入し、作業時間として退室時刻と入室時刻の差の時間を記入する。
【００６９】
また、履歴生成装置１０４は、介護者が介護作業後に具体的な作業内容の記入を容易に行なえるように、プルダウンメニューから具体的作業内容を選択可能とする「作業内容」の欄を生成する。
【００７０】
プルダウンメニューによって表示される内容は、介護履歴１が上述の如くコールフラグが１であることに基づいて生成されることから、コールフラグが１とされた場合に発生するような作業内容が盛り込まれている。具体的には、該表示内容は、「トイレ」、「室外移動」、「着替え」、「食事」等である。
【００７１】
さらに履歴生成装置１０４は、介護者がコメントを記入したい場合に、プルダウンでコメントの記入欄が表示される「その他」の欄を生成する。
【００７２】
介護履歴２では、図７（ｂ）を参照して、介護履歴１の場合と同様に、履歴生成装置１０４が通報時刻、入室時刻、退出時刻および作業時間を記入し、プルダウンメニューにより具体的作業内容を選択することができる「作業内容」の欄を生成する。
【００７３】
プルダウンメニューに表示される作業内容は、介護履歴２が上述の如く離床フラグが１であることに基づいて生成されることから、離床フラグが１とされた場合に発生すると予想される作業内容が盛り込まれている、具体的には、該表示内容は、「トイレ」、「着替え」等である。
【００７４】
さらに介護者がコメントを記入したい場合にプルダウンで記入欄が表示される「その他」の欄を生成する。
【００７５】
介護履歴３では、図７（ｃ）を参照して、介護履歴１および介護履歴２の場合と同様に、履歴生成装置１０４が通報時刻、入室時刻、退出時刻および作業時間を記入し、プルダウンメニューにより具体的作業内容を選択することができる「作業内容」の欄を生成する。
【００７６】
プルダウンメニューに表示される内容は、介護履歴３が上述の如く体調フラグが１であることに基づいて生成されることから、体調フラグが１とされた場合に発生すると予想される作業内容が盛り込まれている。具体的には、該表示内容は、「容態確認」、「痰の吸引」、「姿勢変換」、「着替え」等である。
【００７７】
さらに介護者がコメントを記入したい場合にプルダウンで記入欄が表示される「その他」の欄を生成する。
【００７８】
次に、図８は、履歴生成システム１００のが動作を開始したときの履歴生成装置１０４が実行するプログラムのフローチャートを示している。
【００７９】
ステップＳ１０１では、履歴生成装置１０４は、被介護者の居室に設置している離床及び体調判定装置１０２又はコール装置１０３からの情報を受信したかどうかを判定し、受信した場合には、ステップＳ１０２へ進み、受信していない場合は、そのまま受信するまで待機している。
【００８０】
ステップＳ１０２では、受信した情報がコール装置１０３からの情報かどうかを判定し、コール装置１０３からの情報であればステップＳ１０４へ進み、そうでなければステップＳ１０３へ進む。
【００８１】
ステップＳ１０４では、履歴生成装置１０４は、イベントＮｏ．と通報時刻およびコールフラグ＝１、離床フラグ＝０、体調フラグ＝０を介護履歴テーブルに記入し、ステップＳ１０７へ進む。
【００８２】
ステップＳ１０３では、受信した情報が、離床及び体調判定装置１０２からの被介護者の離床情報かどうかを判定し、かかる情報であればステップＳ１０５へ進み、そうでなければ離床及び体調判定装置１０２からの被介護者の体調情報と判定しステップＳ１０６へ進む。
【００８３】
ステップＳ１０５では、履歴生成装置１０４は、イベントＮｏ．と通報時刻および離床フラグ＝１、コールフラグ＝０、体調フラグ＝０を介護履歴テーブルに記入し、ステップＳ１０７へ進む。
【００８４】
ステップＳ１０６では、履歴生成装置１０４は、イベントＮｏ．と通報時刻および体調フラグ＝１、コールフラグ＝０、離床フラグ＝０を介護履歴テーブルに記入し、ステップＳ１０７へ進む。
【００８５】
ステップＳ１０７では、履歴生成装置１０４は、情報取得装置１０１からの情報を受信したかどうかを判定し、受信した場合には、ステップＳ１０８へ進み、受信していない場合はステップＳ１０９へ進む。
【００８６】
ステップＳ１０８では、介護履歴テーブル中の現在対象となっているイベントＮｏの事象における入室時刻の欄および退室時刻の欄が共に記入されていない場合に、入室時刻の欄に情報取得装置１０１から受信した時刻を記入する。
【００８７】
さらに、情報取得装置１０１から受信した介護者の認識番号に基づいて、履歴生成装置１０４が備える介護者の認識番号に対応するＩＤが記載されたテーブル（図示せず。）から介護者のＩＤを検出し、検出したＩＤを介護履歴テーブルの担当者ＩＤの欄に記入し、ステップＳ１１０へ進む。
【００８８】
ステップＳ１０９では、離床及び体調判定装置１０２又はコール装置１０３からの情報を受信した時刻から所定時間経過したかどうかを判定し、所定時間経過している場合には、介護履歴テーブルへの記入処理は行なわず、ステップＳ１１４へ進む。所定時間経過前であれば、ステップＳ１０７へ戻る。
【００８９】
ステップＳ１１０では、情報取得装置１０１からの情報を受信したかどうかを判定し、受信した場合には、ステップＳ１１１へ進み、受信していない場合は受信するまで待機する。
【００９０】
ステップＳ１１１では、情報取得装置１０１から受信した介護者の認識番号から介護者のＩＤを検出し、先に介護履歴テーブルに記入した入室者ＩＤと一致するかどうかを判定し、一致する場合は、ステップＳ１１２へ進み、一致しない場合には、ステップＳ１１０へ戻る。
【００９１】
ステップＳ１１２では、介護履歴テーブルの退室時刻欄に情報取得装置１０１から受信した時刻を退室時刻として記入し、ステップＳ１１３へ進む。
【００９２】
ステップＳ１１３では、介護履歴テーブルの体調フラグ、コールフラグ、離床フラグの値により、介護者の作業内容を分類し、介護履歴テーブルの作業内容雛形の欄に作業内容の分類番号を記入する。これにより介護履歴テーブルのすべての欄が記入されたこととなる。
【００９３】
履歴生成装置１０４は、介護履歴テーブルのすべての記入欄が記入されたイベントＮｏについて介護履歴を生成しステップＳ１１４へ進む。  
【００９４】
介護履歴は上述の如く、作業内容雛形の欄に記載された作業内容の分類番号に基づいて適当な雛形の介護履歴が生成される。
【００９５】
ステップＳ１１４では、イベントＮｏ．を更新してステップＳ１０１へ戻る。
【００９６】
以上のように上記履歴生成システム１００によると、履歴生成装置１０４は、被介護者の居室入り口付近に設置された情報取得装置１０１、被介護者のベッド１０６に設置された離床及び体調判定装置から取得した情報に従って介護者の介護履歴テーブルを生成する。この際、介護履歴テーブルの作業内容雛形の欄には、離床及び体調判定装置１０２から取得した被介護者の離床情報および体調情報、ならびにコール装置から取得したコール情報に基づいて、介護者の作業内容が分類され、かかる分類番号が記入される。
【００９７】
履歴生成装置１０４は、介護履歴テーブルの作業内容雛形の欄の分類番号に応じて適切な介護履歴雛形を選択し、介護履歴を生成する。かかる介護履歴は、予想される介護者の作業内容がプルダウンメニューで表示され、介護者が介護作業後に作業内容の選択が可能であり、さらに介護者がコメントを記入したい場合には、コメント記入欄がプルダウンで表示される。プルダウンメニューで表示される介護作業内容は、選択された介護履歴雛形ごとに異なったものとなっている。
【００９８】
尚、本実施の形態では、情報取得装置１０１を構成するＲＦタグリーダ１０１ｂを居室入り口付近のカーペット等に設置することとしているが、その他、居室入り口の扉や壁に設置することとしてもよい。この場合には、介護者が被介護者の居室に入退出する際に、ＲＦタグ１０１ａが、ＲＦタグリーダ１０１ｂに近接することができるのであれば、介護者の靴底でなくとも、例えば、介護者が携帯する腕時計、携帯電話、ＰＨＳ、名札、あるいは介護者のポケット等に装着しておいてもよい。
【００９９】
また、情報取得装置１０１としては、例えば、各介護者が位置検出可能なＰＨＳを携帯し、介護施設の適所にＰＨＳアンテナを設置することにより、介護者の被介護者の居室への入退出情報を取得することもできる。
【０１００】
また、本実施の形態では、１つの部屋に被介護者が１名のみ居室するとしているが、１つの部屋に被介護者が数名居室している場合であってもよい。この場合は、上記情報取得装置１０１を構成するＲＦタグリーダ１０１ｂを、例えば被介護者のベッド１０６付近に設置しておく必要があり、履歴生成装置１０４が生成する介護履歴テーブルおよび介護履歴は各居室ごとではなく、被介護者ごとに生成されることとなる。
【０１０１】
また、本実施の形態では、老人ホーム等の介護施設についてのものであるが、病院等の医療施設においても適用することができる。
【０１０２】
以上、本発明に係る実施の形態について説明したが、かかる実施の形態は、特許請求の範囲に示された技術的思想の範囲内において、適宜、種々の変更が可能である。
【図面の簡単な説明】
【０１０３】
【図１】本発明の実施の形態に係る履歴生成システムの構成を示す図である。
【図２】本発明の実施の形態に係る情報取得装置の一つであるＲＦタグおよびＲＦタグリーダを示す図である。
【図３】本発明の実施の形態に係る離床及び体調判定装置の構成を示す図である。
【図４】本発明の実施の形態に係る離床及び体調判定装置を構成する生体情報センサーの一つを示す図である。
【図５】本発明の実施の形態に係る離床及び体調判定装置を構成する状態判定部によりモニターされた被介護者の生体情報を示す図である。
【図６】本発明の実施の形態に係る履歴生成システムによって生成される介護履歴テーブルを示す図である。
【図７】本発明の実施の形態に係る履歴生成システムによって生成される介護履歴を示す図である。
【図８】本発明の実施の形態に係る履歴生成システムによって実行されるプログラムのフローチャートを示す図である。
【符号の説明】
【０１０４】
１００  履歴生成システム
１０１  情報取得装置
１０２  離床及び体調判定装置
１０３  コール装置
１０４  履歴生成装置
【図１】
2006085412.tif 000003
【図２】
2006085412.tif 000004
【図３】
2006085412.tif 000005
【図４】
2006085412.tif 000006
【図５】
2006085412.tif 000007
【図６】
2006085412.tif 000008
【図７】
2006085412.tif 000009
【図８】
2006085412.tif 000010